(57)【要約】【課題】本発明は室内の空気環境を調整する装置に関するものであって、使用者が空気環境調整装置から享受すべき感覚を実感できることを目的にしたものである。【解決手段】空気の状態から得られる感覚を目標として居室２の空気の質を調整する空気環境調整装置１であって、前記目標の達成度合いの時系列的な変化から算出した目標の達成時間と、空気の質の変化に対して人が変化を知覚するまでの遅延時間を合算して、前記目標を知覚する時刻を推測し、推測した時刻に到達すると、指示部３１を介して、報知部９を作動させるという処理手段３０を備える構成にしたことにより、使用者Ｕｓが空気環境調整装置から享受すべき感覚を実感できる。【選択図】図３
2020030040.tif 000002
【特許請求の範囲】
【請求項１】
空気の状態を変化させるための空気状態変化装置を備え、前記空気の状態から得られる感覚を目標として居室の空気の質を調整する空気環境調整装置であって、
前記居室内の使用者が定めた前記目標に対する達成度合いの時系列的な変化から算出される前記目標の達成時間と、前記空気の質の変化に対して人が変化を知覚できるまでの遅延時間とを合算して、前記目標を前記使用者が知覚する時刻を推測し、推測した時刻に到達すると、前記使用者に報知することを特徴とする空気環境調整装置。
【請求項２】
前記使用者が定める前記目標は、前記使用者の属性に応じた感覚に基づいて設定されていることを特徴とする請求項１に記載の空気環境調整装置。
【請求項３】
前記空気状態変化装置は、空気の温度、湿度、ＣＯ２濃度、香料濃度のうち少なくとも１つを変化させる装置であって、
前記遅延時間は、香料濃度、温度、湿度、ＣＯ２濃度の順に長くなることを特徴とする請求項１または２に記載の空気環境調整装置。
【請求項４】
前記使用者に報知する際、前記目標の達成度合いに応じて段階的に報知することを特徴とする請求項１から３のいずれか一項に記載の空気環境調整装置。
【発明の詳細な説明】
【技術分野】
【０００１】
本発明は、室内の空気環境を調整する装置に関するものである。
【背景技術】
【０００２】
空気環境調整装置おいては、表示装置による情報表示、音の発生、あるいはこれらを込み合わせて情報を報知するものがあり、報知するタイミングは、タイマー設定等の所定の時刻や、使用者が操作するタイミングに合わせたものが一般的である。
【０００３】
例えば、特許文献１によれば、リモコンからの操作に係わる出力信号が空気調和機の入力部に送信されると、空気調和機では、入力された信号が操作情報としてＣＰＵによってメモリと照合され、出力部にメモリの情報が出力されるので、表示装置とブザーによって、リモコンからの操作情報に対応させたメロディで使用者に報知するものであった。
【先行技術文献】
【特許文献】
【０００４】
【特許文献１】特開２０１２−３７１７８号公報
【発明の概要】
【発明が解決しようとする課題】
【０００５】
しかしながら、従来技術のような、空気調和機に入力された操作に係わる信号に対して、応答する表示の方式では、使用者の感覚に合致した報知を行うことが困難であった。
【０００６】
すなわち、空気環境調整装置が環境を整えるのに時間がかかること、また、使用者の感覚にずれが生じるために、使用者の操作に呼応する報知では、空気環境調整装置が空気質を調整している過程および調整完了時の状態を使用者が実感できるように報知を行なうことは難しかった。
【０００７】
そこで、本発明は、上記従来の課題を解決するものであり、使用者が空気環境調整装置から享受すべき感覚（例えば、「しっとり」、「さわやか」といった感覚）を実感できるようにした空気環境調整装置を提供するものである。
【課題を解決するための手段】
【０００８】
そして、この目的を達成するために、本発明は、空気の状態から得られる感覚を目標として居室の空気の質を調整する空気環境調整装置であって、空気環境調整装置の本体は、空気を吸い込む吸込口と、吸込口から吸い込んだ空気を居室に吹き出す吹出口と、吸込口から吹出口に向けて空気流を発生させる送風機と、吸込口から吹出口の間に備えた空気の状態を変化させるための空気状態変化装置と、居室内をセンシングするためのセンサーと、居室内の使用者に報知するための報知部と、使用者が操作して目標を定める操作部と、目標に基づいて送風機と空気状態変化装置と報知部とをコントロールする制御部と、を備え、制御部は、センサーと操作部からの信号を取得できる取得手段と、操作部から目標の信号を受信した時から時間計測を開始する計時手段と、取得手段の信号と対応づけた送風機と空気状態変化装置の物理制御値、およびセンサーの入力値から参照される目標の達成度合い、および空気の質の変化に対して人が変化を知覚できるまでの遅延時間の情報を格納した記憶手段と、取得手段の信号と情報から物理制御値と達成度合いを算出する処理手段と、処理手段の信号に基づき送風機と空気状態変化装置と報知部へ動作を指示する指示手段と、を備え、処理手段は、目標の達成度合いの時系列的な変化から算出した目標の達成時間と、遅延時間を合算して、目標を知覚できる時刻を推測し、推測した時刻に到達すると、指示手段を介して、報知部を作動させるという構成を有するものであり、これにより所期の目的を達成するものである。
【発明の効果】
【０００９】
本発明によれば、処理手段は、目標の達成度合いの時系列的な変化から算出した目標の達成時刻と、空気の質の変化に対して人が変化を知覚できるまでの遅延時間を合算して、前記目標を知覚できる時刻を推測し、推測した時刻に到達すると、指示部を介して、報知部を作動させるという構成にした。
【００１０】
これにより、操作部で空気の状態から得られる感覚を目標として定めると、取得手段に入力され、センサーの入力値とともに、処理手段が記憶手段から物理制御値および目標達成度合いを算出して送風機と空気状態変化装置と報知部の動作をさせることとなる。
【００１１】
特に、処理手段は、所定時刻において、目標の達成度合いの時系列的な変化から算出した目標の達成時間と、遅延時間とを合算して、目標の達成が感じられる時刻を推測し、推測した時刻に到達すると、指示手段を介して、報知部を作動させることで、使用者が空気環境調整装置から享受すべき感覚を実感できるという効果を得ることができる。
【図面の簡単な説明】
【００１２】
【図１】本発明の実施形態における居室に配置した空気環境調整装置の概略図
【図２】同空気環境調整装置の本体の断面図
【図３】同空気環境調整装置のブロック図
【図４】同空気環境調整装置の制御部の制御ステップを示すフロー図
【図５】同空気環境調整装置のしっとり感の達成度合いと物理値の時系列的な照合過程のイメージ図
【図６】同空気環境調整装置の目標の達成度合いと報知部の表現の対応を示す図
【図７】同空気環境調整装置の排気装置を備えた場合のブロック図
【図８】同空気環境調整装置の排気装置を備えた場合の制御部の制御ステップを示すフロー図
【図９】同空気環境調整装置のさわやか感の達成度合いと物理値の時系列的な照合過程のイメージ図
【発明を実施するための形態】
【００１３】
本発明に係る空気環境調整装置は、空気の状態から得られる感覚を目標として居室の空気の質を調整する空気環境調整装置であって、空気環境調整装置の本体は、空気を吸い込む吸込口と、吸込口から吸い込んだ空気を居室に吹き出す吹出口と、吸込口から吹出口に向けて空気流を発生させる送風機と、吸込口から吹出口の間に備えた空気の状態を変化させるための空気状態変化装置と、居室内をセンシングするためのセンサーと、居室内の使用者に報知するための報知部と、使用者が操作して目標を定める操作部と、目標に基づいて送風機と空気状態変化装置と報知部とをコントロールする制御部と、を備え、制御部には、センサーと操作部からの信号を取得できる取得手段と、操作部から目標の信号を受信した時から時間計測を開始する計時手段と、取得手段の信号と対応づけた送風機と空気状態変化装置の物理制御値、およびセンサーの入力値から参照される目標の達成度合い、および空気の質の変化に対して人が変化を知覚できるまでの遅延時間の情報を格納した記憶手段と、取得手段の信号と情報から物理制御値と達成度合いを算出する処理手段と、処理手段の信号に基づき送風機と空気状態変化装置と報知部へ動作を指示する指示手段と、を備え、処理手段は、目標の達成度合いの時系列的な変化から算出した目標の達成時間と、遅延時間を合算して、目標を知覚できる時刻を推測し、推測した時刻に到達すると、指示手段を介して、報知部を作動させるという構成を有する。
【００１４】
これにより、操作部で空気の状態から得られる感覚を目標として定めると、取得手段に入力され、センサーの入力値とともに、処理手段が記憶手段から物理制御値および目標の達成度合いを算出して送風機と空気状態変化装置と報知部の動作をさせることとなる。
【００１５】
特に、処理手段は、所定時刻において、目標の達成度合いの時系列的な変化から算出した目標の達成時間と、空気の状態の変化に係わる前記遅延時間とを合算して、目標の達成が感じられる時刻を推測し、推測した時刻に到達すると、指示手段を介して、報知部を作動させることで、使用者が空気環境調整装置から享受すべき感覚を実感できるという効果を得ることができる。
【００１６】
また、本発明に係る空気環境調整装置では、指示手段は、達成度合いの増加に応じて報知部の出力値を増加させ、目標の信号を受信した時から報知させ続けるものである。
【００１７】
これにより、使用者に常に目標の達成度合いを報知することができ、使用者も達成度合いを知ることができる。また、達成度合いが高いほど出力が高いことにより、推測した時刻近辺では使用者がより注意を払いやすくなるため、推測した時刻には確実に気が付くことができる。
【００１８】
また、本発明に係る空気環境調整装置では、空気状態変化装置は、空気の温度、湿度、ＣＯ２濃度、香料濃度のうち少なくとも２つを変化させる装置であって、遅延時間は香料濃度、温度、湿度、ＣＯ２濃度の順に長くなるものである。
【００１９】
これにより、センサーがセンシングした物理値に即応した報知ではない、人の感覚に基づいたタイミングで報知できるため、報知と使用者の感覚が合い、目標の達成を実感しやすくなる。
【００２０】
また、本発明に係る空気環境調整装置では、指示手段は、目標を達成するまでの過程に対応して段階的に変化する表現を少なくとも２つ備え、目標の達成度合いに応じて段階的に報知部から発信させることを特徴とするものである。
【００２１】
これにより、目標を達成するまでの過程に応じた表現が段階的に発信できるため、より達成度合いを想起しやすい報知ができ、目標への達成度合いを把握しやすくなり、推測した時刻には確実に実感することができる。
【００２２】
以下、本発明の実施形態について図面を参照しながら説明する。
【００２３】
（実施の形態１）
以下、図１から図６にて説明する。
【００２４】
図１に示すように、この空気環境調整装置１は、居室２内の空気環境を調整する装置であり、使用者Ｕｓが居室２内の空気の状態から得られる感覚を目標として操作を行なうことで、空気環境調整装置１を設置した居室２の空気の質を調整し、使用者Ｕｓに所望の感覚（例えば、空気のしっとり感）を実感しやすく提供するものである。使用者Ｕｓは、長時間居室２内に居ると空気の状態変化に気づきにくくなるので、特にそのような場合に有益なものと考える。
【００２５】
本実施の形態では、空気環境調整装置１の本体は、箱体で形成し、天井３の居室２側に一面を配置させて設置されており、本体の他の面は、天井３の裏側へ配置している。居室２の壁面４には、空気環境調整装置１を操作する操作部５が取り付けられている。操作部５は、例えば、赤外線の送信部を備えた、ワイヤレスリモコンである。
【００２６】
操作部５では、空気環境調整装置１への動作指令として、空気の状態から得られる感覚を目標の指令として、例えば、湿度に関するものでは、「とてもしっとり」、「ややしっとり」、「しっとり」といった、しっとり感を段階的に表す表示を付した操作ボタンを備え、所望の操作ボタンを押して空気環境調整装置１の動作を開始させるものである。同様に、ＣＯ２濃度に関するものでは、「とてもさわやか」、「ややさわやか」、「さわやか」といった、さわやかさという感覚を段階的に表す表示を付した操作ボタンを備え、操作ボタンを押すことで空気環境調整装置１の動作を開始させるものである。
【００２７】
空気環境調整装置１の本体は、居室２内に開口した吸込口６および吸込口６から吸い込んだ空気を居室２に吹き出す吹出口７と、吸込口６に隣接して備えたセンサー８と、報知部９と、操作部５から発信した信号を受信するリモコン受信部１０と、天井３の裏側に位置する側面から屋外へダクト（図示せず）を通じて連通する排出口１１を備えている。
【００２８】
センサー８は、居室２内の空気の状態をセンシングするためのものである。室内の空気の状態として、温度、湿度、ＣＯ２（二酸化炭素）による汚れ、香料の濃度、粉塵による汚れ等を検出するものを備えることができる。
【００２９】
本実施の形態では、温度センサーと、湿度センサーと、ＣＯ２センサーを備えている。
【００３０】
報知部９は、居室２内の使用者Ｕｓの目標の指令に対して空気環境調整装置１が調整した空気の状態を報知するものである。報知する内容は、空気の状態を感覚的に訴えることができるようなものとする。
【００３１】
報知部９としては、複数のＬＥＤを組み合わせて色温度の変化をさせることができる発光体、発信音の周波数を調整して音階の異なる音を発生することができる発音体、複数の画像を切り替えて表示することができる液晶パネル等から選択して備えることができる。発光体や液晶パネルは、色温度の他にも、出力値を増減することで明るさを変えられるものでもよい。同様に発音体も出力値を増減することで音量を調整するものでもよい。
【００３２】
本実施の形態では、複数のＬＥＤを組み合わせた発光体で、色温度を調整するものであり、加えて出力値を調整することによって明るさを変化させることのできるものを備えている。
【００３３】
図２に示すように、空気環境調整装置１の本体内には、吸込口６から吹出口７または排出口１１へ向けて空気流を発生させる送風機１５と、吸込口６から吹出口７までの間の風路内に配置した空気の状態を変化させるための空気状態変化装置１６と、操作部５で使用者Ｕｓが設定した目標に基づいて送風機１５と空気状態変化装置１６と報知部９とをコントロールする制御部１７とを備えている。
【００３４】
空気状態変化装置１６は、例えば、居室２内の空気の質を調整する装置として、湿度を上昇させる加湿装置、湿度を下げる除湿装置、温度を上昇させる加熱装置、温度を下げる冷却装置、香りを発生させる香り発生機、イオンを発生させるイオン発生装置、汚れた空気を浄化するフィルター等の浄化装置を備えることができる。
【００３５】
本実施の形態では、加湿装置を備えているものとする。
【００３６】
また、排気装置２０として、風路切替えダンパー２１を備えている。風路切替えダンパー２１は、（図２において、白抜き矢印方向側へ切り替えた場合、）空気環境調整装置１の本体内において、空気の流れ方向を吹出口７側から排出口１１へと切り替えるものである。これにより、送風機１５を運転したときに気流を屋外側へ排出することができるものである。
【００３７】
図３に示すように、制御部１７には、少なくとも、取得手段２３と、計時手段２４と、物理制御値と達成度合いと遅延時間を情報として記憶した記憶手段２９と、処理手段３０と、指示手段３１とを備えている。
【００３８】
取得手段２３は、センサー８の検知信号と、操作部５からの目標指令との信号を取得するものである。
【００３９】
計時手段２４は、操作部５から目標の指令として信号を受信した時から時間計測を開始するものである。
【００４０】
記憶手段２９は、取得手段２３の信号と対応づけた送風機１５と空気状態変化装置１６の物理制御値、およびセンサー８の入力値から参照される目標の達成度合い、および空気の状態の変化に対して人が変化を知覚するまでの遅延時間のそれぞれを情報として格納したものである。例えば、図５に示すような温度と、湿度と、目標（「とてもしっとり」、「ややしっとり」、「しっとり」）とを対応づけたもの、あるいは、図９に示すような温度と、ＣＯ２濃度と、目標とを対応付けたものである。
【００４１】
処理手段３０は、取得手段２３の信号と上記した情報から物理制御値と目標の達成度合いを算出するものである。
【００４２】
指示手段３１は、処理手段３０の信号に基づき、送風機１５と空気状態変化装置１６と報知部９へ動作を指示するものである。
【００４３】
上記構成において、使用者Ｕｓが居室２の空気について、しっとりした感覚（しっとり感）を得たい場合に、例えば、操作部５において、「とてもしっとり」と表示された操作ボタンを押すことになる。
【００４４】
このような所望の感覚を目標として操作をすると、目標の指令としての信号が操作部５から空気環境調整装置１本体のリモコン受信部１０に送信され、さらに制御部１７へ信号が送られる。制御部１７は、目標の指令としての信号（以下、目標の信号とする）を取得し、同時にセンサー８から居室２内の空気の状態を取得する。続いて、制御部１７は、センサー８から取得した信号（空気の状態）から、物理制御値を定め、物理制御値に基づいて送風機１５と、空気状態変化装置１６を作動させる。
【００４５】
本実施の形態の空気状態変化装置１６は、加湿機であり、居室２の湿度を高めることができる。送風機１５が作動すると、吸込口６から居室２内の空気が吸込まれ、その空気は、空気状態変化装置１６によって加湿され、吹出口７から居室２内へ吹き出される。
【００４６】
制御部１７は、所定の時間間隔でセンサー８から居室２内の温度と湿度の時系列的な推移を記録する。そして、制御部１７で時系列的に温湿度の変化傾向を把握することで、その時点（時刻）での目標の達成度合いと、目標の達成を知覚できる時刻を推測することができる。推測した時刻に満たない場合は、報知部９によって、目標の達成度合いに対応付けた発光体の色温度を出力することとなり、報知部９に指令を出す。推測した時刻になった場合は、目標の達成度合いと対応付けられた色温度の出力をするように報知部９に指令を出す。このとき、制御部１７は目標の達成度合いが高いほど、発光体の出力を高くなるように指令を出すようにしている。
【００４７】
これより図４に則して、制御部１７の制御内容を説明する。
【００４８】
例えば、操作部５から「とてもしっとり」という目標の信号を取得手段２３が受信すると、最新の居室２内の現在の温湿度の信号とともに、処理手段３０に目標の信号が送信される。処理手段３０は、それらの信号から、時刻ｔ=０として温湿度の信号を記憶手段２９に保存する。また、処理手段３０は、目標の信号を受信すると、計時手段２４の作動を開始させる（ステップ１）。なお、計時手段２４は、所定の時間間隔で処理手段３０に信号を送ることができ、本実施の形態では単位時間である所定の時間間隔を１分に設定している。
【００４９】
次に、処理手段３０は、取得手段２３から得た信号と記憶手段２９の情報とを参照する。記憶手段２９には、各温度におけるしっとり感に係わる物理制御値と、しっとり感の達成度合いと、（しっとり感を実現する湿度に対する）しっとり感、すなわち湿度変化を実感できるまでの時間として遅延時間の情報が格納されている。
【００５０】
ここで、処理手段３０は目標の信号の「とてもしっとり」に対応付けた物理制御値を計算する。例えば、２２℃の空気環境の場合は、物理制御値である相対湿度は５６％である。物理制御値を算出した後、処理手段３０は、物理制御値を指示手段３１に信号を送り、指示手段３１は、それに基づいて送風機１５と空気状態変化装置１６を動作させる（ステップ２）。
【００５１】
また、処理手段３０は、その時点での温湿度の信号を、「とてもしっとり」というしっとり感の達成度合いへ対応付けを行う。例えば、図５に示すように、温度２２℃の空気環境において、「とてもしっとり」は、湿度５６％のときに達成度合いが１００％となり、湿度４０％では達成度合いが０％であることから、相対湿度がこれら２点の間にある２２℃５０％時点は、線形的に算出して下記のように達成度を算出することとなる。
【００５２】
すなわち、１００[％]÷（５６[％]−４０[％]）×（５０[％]−４０[％]）＝６２％、となる。
【００５３】
処理手段３０は、このようにして算出した目標の達成度合いの信号を指示手段３１に送信する。
【００５４】
指示手段３１は、そのときの目標の達成度合いに相当する表現をするように、図６に示すように対応付けて、達成度合いに基づいて報知部９に表示を指示する。例えば、図６の（ア）や（エ）に示すように（図６では、目標の達成度合いは、達成度合いと表示している。以下このように呼ぶ。）、達成度合いに応じて色温度を段階的に変化させるようなものでも良い。また、図６の（イ）に示すように、音階が段階的に上昇するようにしても良い。さらに、図６の（ウ）に示すように、花のつぼみから開花までのプロセスを段階的に対応付けても良く、段階的に変化するものであればよい。
【００５５】
本実施の形態においては、「とてもしっとり」の達成度は、図６の（ア）の色温度の段階的な変化に対応付けられており、ここでの達成度合いが６２％である場合は、報知部９に備えた発光体で４０００Ｋの色温度を出力する。
【００５６】
また、色温度の変化に加えて、発光体の出力値は達成度合いによって調整される。本実施の形態において達成度合いが１００％のときに発光体が１０Ｗ（ワット）を示す場合には線形的に計算して、６２％の場合は６．２Ｗで出力することで達成度をより明確に表現することができる（ステップ３）。
【００５７】
ステップ３終了後、処理手段３０は取得部から得た温湿度の信号と、目標の信号を記憶手段２９に保存する（ステップ４）。
【００５８】
ステップ１〜４のプロセスが完了した後に、計時手段２４に予め設定された所定時間間隔が経過していない場合は、図４のように（ａ）に戻る。経過している場合は、計時手段２４から処理手段３０へ信号が送られる（ステップ５）。
【００５９】
処理手段３０は、この信号によって、取得部からセンサー８の信号を収集し、時刻ｔ=１における温湿度信号を記憶手段２９に保存する（ステップ６）。
【００６０】
次に、処理手段３０は、取得手段２３から得た信号と記憶手段２９の情報とを参照する。ここで、処理手段３０は目標の信号から、「とてもしっとり」と対応付けた物理制御値を計算し、適宜変更する。物理制御値を算出した後、処理手段３０は変更された物理制御値を指示手段３１に信号を送る。
【００６１】
指示手段３１は、変更された物理制御値に基づいて送風機１５と空気状態変化装置１６を動かすこととなる（ステップ７）。
【００６２】
また、処理手段３０は、その時点での温湿度の信号をしっとり感の達成度合いへ対応付けを行い、達成度合いを算出する。そして、算出した達成度合いに基づき、指示手段３１を介して、報知部９を作動させて、対応付けられた発光体の色温度と、出力値に基づいて報知部９に指令を出す（ステップ８）。
【００６３】
次に所定の時刻として、時刻ｔ=１では、更に、使用者Ｕｓにおいて目標達成が知覚できると推測される時刻を計算する。計算方法の一例を下記に記載する。
【００６４】
まず、物理制御値が達成される時刻を計算する。図５に示すように、時刻ｔ=０のときの湿度は４０％であって、時刻ｔ=１のときの湿度が４３％となった。この場合、線形的に計算すると下記の通りに計算され、時刻ｔ=６のときに目標が達成されることが推測される。
【００６５】
まず、観測されている湿度変化速度として、
（４３[％]−４０[％]）÷（１[ｔ]−０[ｔ]）＝３[％／Δｔ]、と計算できる。
【００６６】
次に、目標の湿度に到達するまで必要な時間は、
（５６[％]−４０[％]）÷３[％／Δｔ]＝５．３[ｔ]、単位時間を１分としているので５．５［分］と推測できる。
【００６７】
更に、遅延時間を算出する。「とてもしっとり」の場合、操作する物理制御値は湿度である。一般的に温度が高いほど湿度が知覚されやすい。一例として、２０℃のときの遅延時間が５分、２５℃のときの遅延時間を０分と設定し、線形的に２２℃における遅延時間を下記のように見積もることができる。
【００６８】
遅延時間は、
（５[分]−０[分]）÷（２５[℃]−２０[℃]）×（２２[℃]−２０[℃]）＝１．５[分]、と見積もることができる。
【００６９】
目標が達成されるまでの時間が５．３分であり、遅延時間が１．５分であるため、５．３[分]÷１[分／Δｔ]＋１．５[分]÷１[分／Δｔ]＝６．８[ｔ]、
すなわち、目標達成が知覚されると推測されるまでの時間は６．８分となる。現在時刻ｔ＝１であるので、時刻にすると時刻ｔ＝７．８に達した時に目標達成が知覚されたことを知覚できるものと推測される。
【００７０】
このようにして推測した時刻を処理手段３０は記憶手段２９に記録する（ステップ９）。
【００７１】
このようなステップ６からステップ９のプロセスを経た後、計時手段２４に予め設定された所定時間間隔が経過していない場合は、図４の（ｂ）のように戻る。所定時間間隔が経過している場合は、計時手段２４が処理手段３０に信号が送信される（ステップ１０）。
【００７２】
処理手段３０は、記憶手段２９から推測した時刻を参照し、現在の時刻が到達しているかを判断する。目標到達を知覚できると推測した時刻を経過していない場合には、図４のように（ｃ）を辿り、ステップ６に戻る。ここで、前記目標到達を知覚できると推測した時刻を経過している場合は、指示手段３１に対して達成度合いが１００％であると伝達する（ステップ１１）。
【００７３】
指示手段３１は、達成度合いが１００％であることから、対応付けられた出力を報知部９に指示する。本実施形態では、達成度１００％においては、２０００Ｋの色温度で出力は１０Ｗとしているので、それに基づいて報知部９を作動させ、目標の「とてもしっとり」に到達したことを使用者Ｕｓに伝えることとなる(ステップ１２)。その後、運転を終了する。
【００７４】
以上、「とてもしっとり」という目標に対する動作例を説明した。次に、「とてもさわやか」という目標に対する動作例を説明する。
【００７５】
本動作例では、換気運転によって、ＣＯ２濃度を低減することを「さわやかさ」という感覚を目標として運転することができ、図６〜９を用いて説明する。
【００７６】
同上の構成において、使用者Ｕｓが空気について、さわやか感を得たいと場合に、操作部５の「とてもさわやか」と表示された操作ボタンを押すことになる。
【００７７】
このような所望の感覚を目標の指令として操作をすると、目標の信号が操作部５から空気環境調整装置１本体のリモコン受信部１０に送信され、制御部１７に信号が送られる。制御部１７は、前記目標の信号を取得し、同時に居室２内の空気の状態をセンサー８の信号から取得する。制御部１７は、これら取得した信号から、物理制御値を定め、物理制御値に基づいて送風機１５と、風路切替えダンパー２１を作動させる。
【００７８】
本実施の形態の風路切替えダンパー２１は、風路を切替える蝶番で固定された板であり、吹出口７を塞ぎ、排出口１１を開けることで、風路を切替えて、居室２の汚れた空気を屋外に排出することができる。送風機１５が作動すると、吸込口６から居室２の空気が吸込まれ、その空気は、風路切替えダンパー２１によって排出口１１から送り出され、ダクトを通って屋外に吹き出される。
【００７９】
制御部１７は、所定時間間隔でセンサー８から居室２内の温度とＣＯ２濃度の時系列的な推移を記録し、制御部１７で時系列的に温度とＣＯ２濃度の変化傾向を把握することで、その時点での目標の達成度合いと、目標を知覚できる時刻を推測することができる。推測した時刻に満たない場合は、図６にあるように達成度合いに対応付けた発光体の色温度を出力するように報知部９に指令を出す。推測した時刻になった場合は、目標と対応付けられた色温度の出力をするように報知部９に指令を出す。このとき、制御部１７は達成度合いが高いほど、発光体の出力を高くなるように指令を出すようにしている。
【００８０】
制御部１７の取得手段２３は、センサー８と操作部５からの信号を取得することができる。
【００８１】
これより図８に則して、制御部１７の制御内容を説明する。
【００８２】
操作部５から目標の指令として「とてもさわやか」という目標の信号を取得手段２３が受信すると、処理手段３０へ最新の居室２内の現在の温度とＣＯ２濃度の信号とともに、前記目標の信号が送信される。
【００８３】
処理手段３０は、その信号を時刻ｔ=０として温度とＣＯ２濃度の信号を記憶手段２９に保存する。処理手段３０は、前記目標の信号を受信すると、計時手段２４に信号を出し作動を開始させる（ステップ１）。計時手段２４は、所定時間間隔で処理手段３０に信号を送ることができ、本実施の形態では１分に設定されている。
【００８４】
次に、処理手段３０は、取得手段２３から得た信号と記憶手段２９の情報とを参照する。記憶手段２９には、各温度におけるしっとり感の物理制御値と、さわやか感の達成度合いと、さわやか感を実現するＣＯ２濃度に対する遅延時間の情報が格納されている。
【００８５】
ここで、処理手段３０は目標の信号の「とてもさわやか」に対応付けた物理制御値を計算する。例えば、２２℃の空気環境の場合は、物理制御値は１０００ｐｐｍである。物理制御値を算出した後、処理手段３０は物理制御値を指示手段３１に信号を送り、指示手段３１はそれに基づいて送風機１５を動かす（ステップ２）。
【００８６】
また、処理手段３０は、その時点での温度とＣＯ２濃度の信号を、「とてもさわやか」というさわやか感の達成度合いへ対応付けを行う。例えば、図９に示すように、温度２２℃の空気環境において、「とてもさわやか」はＣＯ２濃度１０００ｐｐｍのときに達成度合い１００％となり、ＣＯ２濃度１９００ｐｐｍでは達成度合い０％であることから、線形的に算出すると、２２℃１５００ｐｐｍ時点の下記のように達成度合いが算出される。
【００８７】
すなわち、１００[％]÷（１０００[ｐｐｍ]−１９００[ｐｐｍ]）×（１５００[ｐｐｍ]−１９００[ｐｐｍ]）≒４４[％]、となる。
【００８８】
処理手段３０は、このようにして算出した達成度合いの信号を指示手段３１に送信する。指示手段３１は、そのときの達成度合いに相当する表現をするように、図６に示すように対応付けて、達成度合いに基づいて報知部９に表示を指示する。
【００８９】
本実施の形態においては、「とてもさわやか」の達成度は、図６の（エ）のように対応付けられており、ここでの達成度合いが４４％である場合は５０００Ｋの色温度で出力する。
【００９０】
加えて、発光体の出力値は達成度合いによって調整される。本実施の形態において、達成度合いが１００％のときに発光体が１０Ｗを示す場合には、線形的に計算して、４４％の場合は４．４Ｗで出力することで達成度合いを表現することができる（ステップ３）。
【００９１】
ステップ３終了後、処理手段３０は取得部から得たＣＯ２濃度の信号と、目標の信号を記憶手段２９に保存する（ステップ４）。
【００９２】
ステップ１〜４のプロセスが完了した後に、計時手段２４に予め設定された所定時間が経過していない場合は、図８のように（ａ）に戻る。経過している場合は、計時手段から処理手段３０へ信号が送られる。処理手段３０は、この信号によって、取得手段２３からセンサー８の信号を収集する。センサー８からは所定時間間隔で最新の居室２内の温度とＣＯ２濃度の信号を受信して、取得手段２３内には常に最新の居室２の温度とＣＯ２濃度が記録されているので、ＣＯ２濃度の信号を収集し、時刻ｔ=１として、温度とＣＯ２濃度の信号を記憶手段２９に保存する（ステップ６）。
【００９３】
次に、処理手段３０は、取得手段２３から得た信号と記憶手段２９の情報とを参照し、ここで、処理手段３０は目標の信号から、「とてもさわやか」と対応付けた物理制御値を計算し、適宜変更する。物理制御値を算出した後、処理手段３０は、物理制御値を指示手段３１へ送り、指示手段３１はそれに基づいて送風機１５を動作させる（ステップ７）。
【００９４】
また、処理手段３０は、その時点での温度とＣＯ２濃度の信号をさわやか感の達成度合いへ対応付けを行い、達成度合いを算出する。続けて、達成度合いに基づき指示手段３１を介して、報知部９を作動させて、対応付けられた発光体の色温度と、出力値に基づいて報知部９に指令を出す（ステップ８）。
【００９５】
次に、時刻ｔ=１では、更に、目標を知覚すると推測される時刻を計算する。計算方法の一例を下記に示す。
【００９６】
まず、物理制御値が達成される時刻を計算する。時刻ｔ=０のときのＣＯ２濃度が１９００ｐｐｍであり、時刻ｔ=１のときのＣＯ２濃度が１８００ｐｐｍであり、線形的に計算すると下記の通りに計算され、時刻ｔ=６のときに目標が達成されることが時刻ｔ＝１において推測される。
【００９７】
まず、観測されているＣＯ２濃度の変化速度として、
（１８００[％]−１９００[％]）÷（１[ｔ]−０[ｔ]）＝−１００[％/Δｔ]、が計算できる。次に、目標のＣＯ２濃度に到達するまで必要な時間は、
（１０００[％]−１９００[％]）÷（−１００）[％/Δｔ]＝９[ｔ]、単位時間を１分としているので９［分］と推測できる。
【００９８】
更に遅延時間を算出する。「とてもさわやか」の場合、操作する物理制御値はＣＯ２濃度である。一般的に温度が高いほどＣＯ２濃度が知覚されやすい。一例として２０℃のときの遅延時間が６０分、２５℃のときの遅延時間を４５分と設定し、線形的に２２℃における遅延時間を下記のように見積もることができる。
（６０[分]−４５[分]）÷（２５[℃]−２０[℃]）×（２２[℃]−２０[℃]）＝１０[分]
目標が達成されるまでの時間が９分であり、遅延時間が１０分であるため、
９[分]÷１[分／Δｔ]＋１０[分]÷１[分／Δｔ]＝１９[ｔ]
すなわち、目標達成が知覚できると推測されるまでの時間は１９分となる。
現在時刻ｔ＝１であるので、時刻にすると時刻ｔ＝２０に達した時に目標達成が知覚できるものと推測される。
【００９９】
このようにして推測した時刻を処理手段３０は記憶手段２９に記録する（ステップ９）。
【０１００】
このようなステップ６からステップ９のプロセスを経た後、計時手段２４に予め設定された所定時間間隔が経過していない場合は、図８の（ｂ）のように戻る。所定時間間隔が経過している場合は、計時手段２４が処理手段３０に信号が送信される（ステップ１０）。
【０１０１】
処理手段３０は、記憶手段２９から推測した時刻を参照し、現在の時刻が推測した時刻に到達しているかを判断する。目標を知覚できると推測した時刻を経過していない場合には図８のように（ｃ）を辿り、ステップ６に戻る。ここで、推測した時刻を経過している場合は、指示手段３１に対し達成度合いが１００％であると伝達する（ステップ１１）。
【０１０２】
指示手段３１は、達成度合いが１００％であることから、対応付けられた出力を報知部９に指示する。本実施形態では、達成度１００％においては、８０００Ｋの色温度で出力値は１０Ｗとしているので、それに基づいて報知部９を作動させ、目標の「とてもさわやか」が知覚できることを使用者Ｕｓに伝える(ステップ１２)。その後、運転を終了する。
【０１０３】
尚、物理値と目標を対応付ける方法としては、被験者実験のデータを元に作成するのが望ましい。例えば、温度や湿度等について複数の条件を設けて、複数の被験者に滞在させ、目標となる感覚（しっとり、さわやか、暖かい、涼しい、新鮮な、きれいな等）について、どれくらい感じるかをアンケート等によって調査し、傾向を把握することで、対応付けることができる。評価させる方法としては、リッカート法や、ＳＤ法などがあり、度合いを段階評価させて分布を見ることで、結びつけることができる。
【０１０４】
このような目標との結び付けをするにあたっての被験者実験では、老若男女、様々な属性の被験者について、多くの実験データを集積することで、より精度の高い結び付けをすることができる。
【０１０５】
また、遅延時間については、香料濃度、温度、湿度、ＣＯ２濃度の順にその変化を知覚するまでの遅延時間が長くなるものと考えられる。
【０１０６】
香料濃度の場合、空気中のにおい分子が嗅粘膜に溶け込んで受容器である嗅細胞を刺激されて脳に伝わり、早く伝達する。温度は、人の肌にある抹消感覚神経が温度刺激を脳に伝えるが、温度が皮膚の受容器に伝達するまでの時間が必要である。また、湿度に関しては、直接的な受容器が発見されておらず、粘膜の乾きや皮膚や毛髪などの変化で感じるため、香料濃度や温度に比べて知覚が遅い。また、ＣＯ２濃度は、無色無臭の気体であり、一般的に生じる濃度であれば直接的に濃度を感じず、肺から血中に溶け込み続けることで最終的に体に作用するものであるため、ＣＯ２濃度は、最も知覚に時間が必要である。
【０１０７】
上記以外の新しい要素について遅延時間を導出する上では、被験者実験のデータを元に作成するのが望ましい。実験空間に一定時間滞在させ、環境を変化したときに、どのように感じるかを時系列的に調査することで、物理値変化後に、どのくらいの期間で人が知覚できるかを把握することができる。
【０１０８】
報知に用いる表現と達成度合いとを対応付ける方法としては、Ｗｅｂ調査やグループインタビューなどで、多くの意見を抽出し、適切な表現を導出するのが望ましい。例えば、予め段階的に変化するような多くの画像を用意し、被験者が段階的に変化すると思う順に並べさせ、そのデータを分析することで、過半数が「段階的に高まる」と思う順序を導出しても良い。
【０１０９】
更に、適切な表現を得る方法としては、「しっとり感」や「さわやか感」といった感覚の目標の言葉に対し、どのような表現方法が適切かを調査し、過半数以上が選択したものを活用することにより、より共感される表現を抽出できる。また、このときの調査対象者の属性を統一することで、より特定の属性の人が共感できる表現を抽出できる。例えば性別や年齢や趣味などの情報を揃える事により、より適切な表現を抽出し、使用者の好みに応じた表現を事前に設定してもよい。
【０１１０】
達成度合いに対応付けた表現としては、段階的な変化の様子が理解できればよく、図６に記載したものに限定するものではない。聴覚的な表現として音階を例にしているが、例えば、音階は、単音でも和音でもよく、段階的に音を増加させるものや低下させるものであってもよい。音階が変化する方向は上昇方向だけでなく、下降方向などであってもよい。視覚的な表現としては、色温度の変化や、花の時系列変化を例にしているが、例えば、写真やイラストの描かれたパズルが組み上がっていく様子でも良いし、風景の画像が朝から夜などの時間帯で変化する様子でも良い。
【０１１１】
尚、空気環境調整装置１が提供するものは、必ずしも、「しっとり感」や「さわやか感」である必要はない。他の空気の快適さに関わる表現として、「暖かい」、「涼しい」、「新鮮な」、「きれいな」といった空気の状態から得られるような感覚であれば目標として設定することができる。
【０１１２】
尚、操作部５における操作ボタンは必ずしも段階を設定する必要は無く、「さわやか」「しっとり」のみでもよい。また、段階的に設定する場合でも「やや」「とても」に限定するものではなく、「少し」「かなり」などの別の表現にしても良い。
【０１１３】
尚、達成度合いへの対応付け方は、必ずしも図６の間隔で定める必要は無く、等間隔に範囲を分けても良いし、達成度が高くなるほど範囲を縮めても良い。また、達成度合いの計算方法は、一例であって必ずしも線形回帰である必要は無い。
【０１１４】
尚、プロセスが終了後、運転を必ずしも止める必要は無く、使用者Ｕｓからの指示に基づくものであっても良いし、タイマー設定等で一定時間を経過してから終了するものでも良い。
【０１１５】
空気環境調整装置１は、必ずしも天井３に設置しなくてもよく、床面や壁面４などに設置してもよい。また、天井３や壁面４に埋め込むようなものでなくともよく、独立した構成で、移動や持ち運びが可能なものであっても良い。
【０１１６】
操作部５は、壁面４に掛けておく必要は無く、自由に取り外し可能なものでもよい。また、操作部５は、タブレット端末や携帯電話等の他の機器にアプリを導入して使用するようなものであってもよい。また、必ずしも本体と別で設ける必要は無く、本体に操作部５を設置しても良い。
【０１１７】
また、空気環境調整装置１は、加湿機や換気扇に限定するものではなく、香りを発生させるアロマディフューザー、湿度を下げる除湿機、空気中のイオン濃度を高めるイオン発生器、空気中に水滴を放出するミスト発生器、空気の温度を高める暖房機器、空気の温度を低くする冷房機器など、空気の状態を変えることによって人に作用できるものであればよい。
【産業上の利用可能性】
【０１１８】
本発明によれば、処理手段は、目標の達成度合いの時系列的な変化から算出した目標の達成時刻と、空気の質の変化に対して人が変化を知覚できるまでの遅延時間を合算して、目標を知覚できる時刻を推測し、推測した時刻に到達すると、指示手段を介して、報知部を作動させるという構成にした。これにより、操作部で空気の状態から得られる感覚を目標として定めると、取得手段に入力され、センサーの入力値とともに、処理手段が記憶手段から物理制御値および目標達成度合いを算出して送風機と空気状態変化装置と報知部の動作をさせることとなる。
【０１１９】
特に、処理手段は、目標の達成度合いの時系列的な変化から算出した目標の達成時刻と、使用者が空気の状態の変化を知覚できるまでの遅延時間とを合算して、目標の達成が感じられる時刻を推測し、推測した時刻に到達すると、指示手段を介して、報知部を作動させることで、使用者が空気環境調整装置から享受すべき感覚を実感できるという効果を得ることができる。
【０１２０】
したがって、例えば、一般住宅向けのみならず、病院や老人介護施設などの公共の施設や、工場や倉庫などの産業用の建物などの人が滞在すると考えられる空間への活用も期待される。
【符号の説明】
【０１２１】
１    空気環境調整装置
２    居室
３    天井
４    壁面
５    操作部
６    吸込口
７    吹出口
８    センサー
９    報知部
１０    リモコン受信部
１１    排出口
１５    送風機
１６    空気状態変化装置
１７    制御部
２１    風路切替えダンパー
２３    取得手段
２４    計時手段
２９    記憶手段
３０    処理手段
３１    指示手段
Ｕｓ    使用者
【図１】
2020030040.tif 000003
【図２】
2020030040.tif 000004
【図３】
2020030040.tif 000005
【図４】
2020030040.tif 000006
【図５】
2020030040.tif 000007
【図６】
2020030040.tif 000008
【図７】
2020030040.tif 000009
【図８】
2020030040.tif 000010
【図９】
2020030040.tif 000011